(57)【要約】      （修正有）【課題】吸気により周囲からマスクに到達したウイルスや細菌等の微生物を殺菌し、呼気に含まれて外部に飛散する微生物を殺菌することにより、人が感染症に感染するのを防止する感染防止用マスクを提供する。【解決手段】感染防止用マスク１０は、両端に耳掛け部１２が設けられた布製のマスク本体１１と、マスク本体１１の内面側に配置され、殺菌液を収容する殺菌剤容器１３と、殺菌剤容器１３に装着され、殺菌液をマスク本体１１の中央部に流出する流出具２１と、を有し、マスク本体１１に流出された殺菌液を、吸気により鼻腔に供給する。【選択図】図３
0003227803.tif 000002
【実用新案登録請求の範囲】
【請求項１】
両端に耳掛け部が設けられたマスク本体と、
前記マスク本体の内面側に配置され、殺菌液を収容する殺菌剤容器と、
前記殺菌剤容器に装着され、殺菌液を前記マスク本体の中央部に流出する流出具と、を有し、
前記マスク本体に流出された殺菌液を、吸気により鼻腔に供給する、感染防止用マスク。
【請求項２】
請求項１記載の感染防止用マスクにおいて、
前記殺菌剤容器を前記マスク本体の左右両端部に配置し、それぞれの前記殺菌剤容器に両端部が装着されたチューブにより前記流出具を形成し、前記チューブに殺菌液を流出する流出口を設けた、感染防止用マスク。
【請求項３】
請求項２記載の感染防止用マスクにおいて、
殺菌液を吸収保持し、前記マスク本体への殺菌液の流出量を調節する流量調整部材を前記チューブの流出口に設けた、感染防止用マスク。
【請求項４】
請求項１〜３のいずれか１項に記載の感染防止用マスクにおいて、
前記殺菌剤容器は、透明性の樹脂フィルからなる袋状部材であり、上端部に開閉自在にチャックが設けられ、前記殺菌剤容器内に殺菌液を補充自在である、感染防止用マスク。
【請求項５】
請求項１〜４のいずれか１項に記載の感染防止用マスクにおいて、
前記流出具から流出した殺菌液を吸収して前記マスク本体に分散する液体吸収布を前記マスク本体の中央部に配置した、感染防止用マスク。
【請求項６】
請求項１〜５のいずれか１項に記載の感染防止用マスクにおいて、
前記マスク本体は、外面側本体布と内面側本体布とを有し、前記殺菌剤容器を収容するポケットを、前記外面側本体布と前記内面側本体布との間に設けた、感染防止用マスク。
【請求項７】
請求項１〜６のいずれか１項に記載の感染防止用マスクにおいて、
前記殺菌液は、エタノールからなるアルコール類である、感染防止用マスク。
【請求項８】
マスク本体に装着されるマスク用感染防止具であって、
前記マスク本体の内面側に配置され、殺菌液を収容する殺菌剤容器と、
前記殺菌剤容器に装着され、殺菌液を前記マスク本体の中央部に流出する流出具と、を有し、
前記マスク本体に殺菌液を供給する、マスク用感染防止具。
【請求項９】
請求項８記載のマスク用感染防止具であって、
前記マスク本体の中央部に配置され、前記流出具から流出した殺菌液を吸収する液体吸収布を有する、マスク用感染防止具。
【考案の詳細な説明】
【技術分野】
【０００１】
本考案は、ウイルスや細菌により人が感染症に感染するのを防止する感染防止用マスクおよびマスク用感染防止具に関する。
【背景技術】
【０００２】
ウイルスや細菌等の微生物が人体に入って増殖すると、風邪、インフルエンザなどの感染症を発生させる。人がインフルエンザ等に感染、発症しないようにする一方、インフルエンザに感染、発症した人から、他の人に対してインフルエンザを感染させないようにするために、フェィスマスクつまりマスクが用いられている。マスクは、不織布やガーゼなどの布製のマスク本体と、その両端に設けられた耳掛け部とを有している。マスクを顔面に装着して鼻と口とをマスク本体により覆うと、周囲の外気から鼻孔に流入する吸気に含まれるウイルス等の異物がマスク本体により捕捉される。一方、感染症の患者の呼気に含まれるウイルス等の異物がマスク本体に捕捉されると、患者の周囲にウイルスが飛散することを抑制することができる。
【０００３】
特許文献１は、シンナムアルデヒドを用いたインフルエンザ予防用マスクを開示している。このマスクは、シンナムアルデヒド若しくはシンナムアルデヒドを主成分とし、抗菌作用を有するシナモン抽出物を吸着させた吸着層をマスク本体に装着して製造され、マスクを使用すると、吸着層はマスク本体と鼻孔などの接触部に挟まれる。
【先行技術文献】
【特許文献】
【０００４】
【特許文献１】特開２０１９−７３８４５号公報
【考案の概要】
【考案が解決しようとする課題】
【０００５】
インフルエンザウイルスの大きさは、０．１μｍであり、コロナウイルスの大きさも同様に０．１μｍ程度である。スギ花粉の大きさが２０μｍ〜４０μｍ程度であることからすると、ウイルスは極めて微細な生物である。このような微細なウイルスは、マスクを装着しても、マスク本体の布の折り目の空間を通過してしまう可能性が高い。
【０００６】
特に、コロナウイルス感染の蔓延は、手摺等のように人が触れる可能性のある対象物除菌だけでは殆ど防止できない。飛散したウイルスの生命力は強く、物に触れた手を介して目、口、鼻の内部被膜へ容易に感染してしまうため、人が共通に接触する物を介して人から人への感染拡大は防止不能な状態となってしまう。また、感染者の吐息から出たウイルスの吸引による直接感染もウイルスの大きさが、上述のように、極めて小さいためにマスクだけでは防止できない。
【０００７】
特許文献１に記載されるように、シナモン抽出物を吸着させた布製シートをマスク本体に重ねたり、マスク本体にシナモン抽出物を吸着させたりしても、ウイルスや細菌を殺菌することができず、ウイルスや細菌を長期間に渡って殺菌することができないという問題点がある。
【０００８】
本考案の目的は、吸気により周囲からマスクに到達したウイルスや細菌等の微生物を殺菌し、呼気に含まれて外部に飛散する微生物を殺菌することにより、人が感染症に感染するのを防止することにある。
【課題を解決するための手段】
【０００９】
本考案の感染防止用マスクは、両端に耳掛け部が設けられたマスク本体と、前記マスク本体の内面側に配置され、殺菌液を収容する殺菌剤容器と、前記殺菌剤容器に装着され、殺菌液を前記マスク本体の中央部に流出する流出具と、を有し、前記マスク本体に流出された殺菌液を、吸気により鼻腔に供給する。
【００１０】
本考案のマスト用感染防止具は、マスク本体に装着されるマスク用感染防止具であって、前記マスク本体の内面側に配置され、殺菌液を収容する殺菌剤容器と、前記殺菌剤容器に装着され、殺菌液を前記マスク本体の中央部に流出する流出具と、を有し、前記マスク本体に殺菌液を供給する。
【考案の効果】
【００１１】
マスク本体には、マスク本体の内面側に配置される感染防止具の殺菌剤容器から流出具により殺菌液が流出して供給される。殺菌液が供給されたマスク本体が口と鼻を覆うように、感染防止用マスクを装着すると、周囲の外気から鼻腔に流入する吸気にウイルスや細菌等の微生物が含まれていたとしても、これらの微生物は、マスク本体に付着して殺菌液により殺菌される。これにより、マスク本体を透過して鼻腔、気管、肺にウイルスや細菌等の微生物が入り込んでも、呼吸に応じて、吸気には殺菌液の微細な液滴や気化した殺菌液が供給され、鼻腔、気管等に付着したり、増殖したりしたウイルスや細菌等は、直接殺菌処理される。
【００１２】
このように、感染防止用マスクを使用すると、鼻腔からウイルス等が入り込むことを防止できるとともに、万一、鼻腔から気管や肺の中にウイルス等が入り込んでも、それを殺菌処理することができる。さらに、直接除菌できるので、感染者の呼気によりウイルス等の微生物が外部に飛散されるのを抑制することができ、ウイルス等が人に感染することを効率良く防止することができる。
【図面の簡単な説明】
【００１３】
【図１】一実施の形態の感染防止用マスクの外面側を示す斜視図である。
【図２】感染防止用マスクの内面側を示す正面図である。
【図３】液体吸収布を展開した状態における感染防止用マスクの内面側を示す正面図である。
【図４】図３のマスク本体を拡大して示す斜視図である。
【図５】図４におけるＡ−Ａ線拡大断面図である。
【図６】他の実施の形態の感染防止用マスクの内面側を示す一部切欠き正面図である。
【図７】図５のマスク本体を拡大して示す斜視図である。
【考案を実施するための形態】
【００１４】
以下、本考案の実施の形態を図面に基づいて詳細に説明する。図１に示されるように、感染防止用マスク１０は、全体的に長方形のマスク本体１１と、その両端に設けられた耳掛け部１２とを有しており、マスク本体１１は積層された複数枚の不織布により形成されている。ただし、不織布に限られず、ガーゼなどの織布でマスク本体１１を形成することもでき、マスク本体１１は布製の素材であれば良い。耳掛け部１２は伸縮自在な素材により形成されており、耳掛け部１２を両耳に引っ掛けることにより、感染防止用マスク１０は、マスク本体１１が口および鼻を覆うようにして、人の顔面に装着される。
【００１５】
マスク本体１１の内面側には、図２〜図４に示されるように、左右両端部に位置させて殺菌剤容器１３が配置される。それぞれの殺菌剤容器１３は、図５に示されるように、透明性の樹脂フィルムからなる第１のシート１４と第２のシート１５とを有し、左右の側辺と底辺は接着され、上辺は開口された袋状部材により形成されている。殺菌剤容器１３の上端部側には、チャック１６が設けられており、チャック１６は第１のシートに設けられた突起部１７と、第２のシート１５に設けられ、突起部１７が嵌合つまり嵌まり込む溝部１８とを備えており、殺菌剤容器１３の上端部はチャック１６により開閉自在となっている。
【００１６】
殺菌剤容器１３は、マスク用感染防止具１９を構成しており、マスク本体１１に接触する第１のシート１４の上端部をマスク本体１１に縫い付けたり、接着したりすることにより、マスク本体１１に容易に取り付けることができる。なお、第２のシート１５をマスク本体１１に取り付けるようにしても良い。
【００１７】
第２のシート１５の上端部を第１のシート１４の上端部から離すように、広げると、溝部１８と突起部１７との嵌合が解除され、チャック１６は開放状態となる。この状態のもとで、内部に殺菌剤液つまり殺菌液２０を補充することができる。補充後には、突起部１７を溝部１８に嵌合させると、殺菌剤容器１３の内部は密封状態となる。このように、殺菌剤容器１３は、内部に薬液つまり殺菌液を補充自在である。
【００１８】
殺菌液２０としては、エタノール等のアルコール類を使用することができる。ただし、ウイルスや細菌等の微生物を殺したり、増殖を抑制したりすること、つまり殺菌することができる液体であれば、アルコール類に限られず、ナトリウムやカリウム等のアルカリイオンを溶かした溶液や抗体を含んだ液体等を殺菌液とすることができる。図５において、符号Ｓは殺菌液２０の液面を示す。
【００１９】
なお、感染防止用マスク１０における上下、左右および外面内面は、この明細書においては、感染防止用マスク１０が人に装着された状態を基準とする位置関係を示している。
【００２０】
２つの殺菌剤容器１３には流出具２１が設けられている。流出具２１はゴム等の弾性変形自在つまり可撓性のチューブ２２を有しており、マスク用感染防止具１９を構成する。チューブ２２の両端部は、殺菌剤容器１３に形成された挿入部２３から挿入され、両端部の開口部２４は殺菌剤容器１３の底面側に開口している。チューブ２２は接着剤により挿入部２３に接着され、内部からの殺菌剤液の漏出が防止されている。
【００２１】
図３に示されるように、チューブ２２には流出口２５が設けられており、流出口２５は両方の殺菌剤容器１３内の殺菌液２０をマスク本体１１の上下方向および左右方向の中央部に流出する。流出口２５の内部には、殺菌液２０を吸収保持するとともに、流出口２５と殺菌剤容器１３内との連通開度を調整するための流量調整部材２６が装着されている。連通開度が調整されると、殺菌剤容器１３から流出口２５に流出される殺菌液の流出量が調節される。流量調整部材２６としては、チューブ２２よりも僅かに小径の棒材、布材、スポンジ等のように、チューブ２２の連通開度をチューブ２２の内径よりも小さくする部材が使用される。また、流量調整部材２６としては、指でマスク本体１１から押し付けると開放されて、指を離すと閉じるようにした開閉弁を用いるようにしても良い。
【００２２】
さらに、流量調整部材２６としては、紙や布を使用して、これをチューブ２２の外側に流出口２５を覆うように装着しても良い、その場合には、紙や布等からなる流量調整部材２６の毛細管現象により、徐々に殺菌液２０をマスク本体１１に流出することができる。このように、流出口２５が形成されたチューブ２２と流量調整部材２６とにより、流出具２１が構成されている。一方、開口部２４から流出口２５に向けて毛細管現象により殺菌液２０を案内するように、チューブ２２内に繊維材料等を組み込むようにしても良く、その場合には流量調整部材２６は不要となる。
【００２３】
マスク本体１１の内面側には、図においてクロスハッチングで示すように、マスク本体１１の上下方向および左右方向の中央部に位置させて液体吸収布２７が配置されている。液体吸収布２７は、流出口２５から流出された殺菌液２０を吸収してマスク本体１１に向けて分散して流出させる。
【００２４】
液体吸収布２７としては、ガーゼが使用されており、チューブ２２とマスク本体１１との間に配置される外面側部２７ａと、外面側部２７ａとの間でチューブ２２を挟み込む内面側部２７ｂとを有している。液体吸収布２７は、複数枚のガーゼを積層することにより形成されており、谷折れ線２８の部分で二つ折りすることにより、外面側部２７ａと内面側部２７ｂとに区切られる。図２は液体吸収布２７を二つ折りした使用可能状態を示し、図３は内面側部２７ｂを展開した状態を示す。図３のように、内面側部２７ｂを展開すると、チューブ２２の長手方向中央部が外部に露出される。
【００２５】
液体吸収布２７と流出具２１は、殺菌剤容器１３とともにマスク用感染防止具１９を構成している。
【００２６】
耳掛け部１２を耳に引っ掛けて、感染防止用マスク１０を顔面に装着すると、マスク本体１１の外面は、図１に示されるように通常のマスクと同様であり、殺菌剤容器１３等からなるマスク用感染防止具１９が外部から目視観察されることはない。殺菌剤容器１３を押し付けると、エタノール等の殺菌液２０は、殺菌剤容器１３の内部から押し出されて、流出口２５から流出する。流出した殺菌液２０は、ガーゼからなる液体吸収布２７に付着し、分散してマスク本体１１に流出する。これにより、液体吸収布２７とマスク本体１１のうち液体吸収布２７に重なる部分に殺菌液２０が付着する。殺菌液２０の流出操作は、感染防止用マスク１０を装着しない状態でも、装着した状態でも行うことができる。
【００２７】
このようにして、液体吸収布２７およびマスク本体１１は、殺菌液２０が塗布された状態になり、感染防止用マスク１０を装着すると、鼻と口がマスク本体１１により覆われる。これにより、周囲の外気から鼻腔に流入する吸気にウイルスや細菌等の微生物が含まれていたとしても、これらの微生物は、マスク本体１１に付着して殺菌液２０により殺菌される。一方、マスク本体１１を透過して鼻腔、気管、肺にウイルスや細菌等の微生物が入り込んでも、呼吸に応じて、吸気には殺菌液の微細な液滴や気化した殺菌液が供給される。これにより、鼻腔、気管等に付着したり、増殖したりしたウイルスや細菌等は、直接殺菌処理される。
【００２８】
したがって、マスク用感染防止具１９が装着されたマスク本体１１を顔面に使用すると、鼻腔からウイルス等が入り込むことを防止できるとともに、万一、鼻腔から気管や肺の中にウイルス等が入り込んでも、それを殺菌処理することができる。さらに、直接除菌できるので、感染者の呼気によりウイルス等の微生物が外部に飛散されるのを抑制することができ、ウイルス等が人に感染することを効率良く防止することができる。
【００２９】
殺菌液として、エタノール液等のアルコール類を使用すると、少量のアルコール類は殆どの人に害がなく、感染防止用マスク１０を安心して使用することができる。一方、ウイルスの脂質部分はアルコールやアルカリイオンに弱く、これらによる除菌が十分に可能であり、ウイルス発生源となる気管や鼻腔へのアルコールの吸引は極めて効率の良い除菌方法となる。
【００３０】
しかも、気管皮膜の除菌は、皮膜細胞の活性化を促すので、感染者がこの感染防止用マスク１０を使用すると、感染者の免疫力強化にもつながることが期待される。
【００３１】
図６は他の実施の形態の感染防止用マスクの内面側を示す一部切欠き正面図であり、図７は図６のマスク本体を拡大して示す斜視図である。図６および図７に示す感染防止用マスク１０においては、上述した部材と共通性を有する部材には、同一の符号が付されている。
【００３２】
この感染防止用マスク１０は、マスク本体１１が外面側本体布３１と、内面側本体布３２とにより形成されている。外面側本体布３１と内面側本体布３２は、それぞれ複数枚の不織布を積層したり、複数枚のガーゼ等の織布を積層したりすることにより形成される。外面側本体布３１と内面側本体布３２は、左右の両端部で接続されるとともに、下端部で接続されている。図６および図７においては、破線により接続部３３が示されている。さらに、破線で示す仕切り部３４により、外面側本体布３１と内面側本体布３２は接続され、仕切り部３４により、殺菌剤容器１３を収容する２つのポケット３５と、液体吸収布２７を収容するポケット３６とが形成される。
【００３３】
マスク本体１１に装着されるマスク用感染防止具１９は、上述した場合と同様である。ガーゼからなる液体吸収布２７は、外面側部２７ａがポケット３６に挿入され、谷折れ線２８を介して折り曲げられる内面側部２７ｂは内面側本体布３２の内面側に配置される。内面側部２７ｂに殺菌液２０を迅速に流出するために、内面側本体布３２には、チューブ２２の流出口２５を内側に露出させる開口窓３７が設けられている。ただし、開口窓３７を設けることなく、流出口２５から内面側本体布３２に流出した殺菌液２０を液体吸収布２７に染み出させるようにしても良い。また、液体吸収布２７の一部をポケット３６内に挿入することなく、内面側本体布３２の内面に液体吸収布２７を折り畳んだ状態で配置するようにしても良い。
【００３４】
図６および図７に示すように、ポケット３５に殺菌剤容器１３を装着するようにすると、感染防止用マスク１０を容易に製造組み立てすることができる。上述したそれぞれの感染防止用マスク１０においては、２つの殺菌剤容器１３を有しているが、単一の殺菌剤容器１３を設けるようにしても良い。ただし、２つの殺菌剤容器１３を設けると、感染防止用マスク１０を装着したときに、左右のバランスを良くすることができる。
【００３５】
さらに、マスク本体１１を新たなものと交換したり、洗浄したりしても、マスク本体１１に装着されるマスク用感染防止具１９をそのまま使用することができる。
【００３６】
本考案は前記実施の形態に限定されるものではなく、その要旨を逸脱しない範囲で種々変更可能である。例えば、チューブ２２を用いることなく、殺菌剤容器１３に液体を流出する部材を取り付けるようにしても良い。
【符号の説明】
【００３７】
１０    感染防止用マスク
１１    マスク本体
１２    耳掛け部
１３    殺菌剤容器
１４    第１のシート
１５    第２のシート
１６    チャック
１７    突起部
１８    溝部
１９    マスク用感染防止具
２０    殺菌液
２１    流出具
２２    チューブ
２３    挿入部
２４    開口部
２５    流出口
２６    流量調整部材
２７    液体吸収布
２７ａ    外面側部
２７ｂ    内面側部
２８    谷折れ線
３１    外面側本体布
３２    内面側本体布
３３    接続部
３４    仕切り部
３５、３６    ポケット
３７    開口窓
【図１】
0003227803.tif 000003
【図２】
0003227803.tif 000004
【図３】
0003227803.tif 000005
【図４】
0003227803.tif 000006
【図５】
0003227803.tif 000007
【図６】
0003227803.tif 000008
【図７】
0003227803.tif 000009